(57)【特許請求の範囲】
【請求項１】
内部に磁界発生手段を有し、トナーと磁性キャリアとを含む現像剤を担持して搬送するように表面移動する現像剤担持体と、
該現像剤担持体に担持され現像領域に向けて搬送される該現像剤の量を規制する第１現像剤規制部材と、
該第１現像剤規制部材で該現像領域に向けての搬送を規制された現像剤を収容する現像剤収容部と、
該現像剤収容部の現像剤搬送方向上流側で該現像剤担持体表面に臨むトナー補給用開口を有するトナー収容部と、
該現像剤担持体の表面が該トナー収容部のトナー補給用開口に対向している対向部から該現像剤収容部に向かって該現像剤担持体の表面に連れ回るように担持搬送されている該現像剤担持体上の搬送現像剤の量を規制する第２現像剤規制部材とを備え、
該第２現像剤規制部材と該現像剤担持体の表面との間隙が、該現像剤担持体上の該搬送現像剤のトナー濃度上昇に伴って該第２現像剤規制部材による該搬送現像剤の規制量が増加するように設定されている現像装置において、
該第２現像剤規制部材と該第１現像剤規制部材との間の該現像剤収容部内で該現像剤担持体の表面に非接触で対向するローラ状の回転部材を備え、
該回転部材の表面と該現像剤担持体の表面との間隙をＧｈとし、該第２現像剤規制部材と該現像剤担持体の表面との間隙をＧd2としたとき、
０＜Ｇｈ＜Ｇd2
の関係を満たすことを特徴とする現像装置。
【請求項２】
請求項１の現像装置において、
上記磁界発生手段は、上記回転部材に対向する位置と上記第２現像剤規制部材に対向する位置との間に磁極を有していないことを特徴とする現像装置。
【請求項３】
請求項２の現像装置において、
上記第２現像剤規制部材に対向する位置から上記回転部材に対向する位置に至るまで上記現像剤担持体表面上の磁束密度が、該現像剤担持体表面に上記現像剤を磁力で担持できる磁束密度であることを特徴とする現像装置。
【請求項４】
請求項１、２又は３の現像装置において、
上記現像剤担持体との対向部で該現像剤担持体表面とは反対方向に表面移動するように、上記回転部材を回転駆動する回転駆動手段を備えていることを特徴とする現像装置。
【請求項５】
請求項４の現像装置において、
上記回転部材が、磁性体を用いて構成されていることを特徴とする現像装置。
【請求項６】
請求項５の現像装置において、
上記回転部材が、上記現像剤担持体上の現像剤搬送方向と交差する方向の両端部で支持されたものであり、
該回転部材の該交差方向における中央部の径が両端部の径よりも小さいことを特徴とする現像装置。
【請求項７】
請求項１、２又は３の現像装置において、
上記回転部材が、上記現像剤担持体上の現像剤搬送方向と交差する方向に沿って延在し且つ磁性体を含む部材であり、
該現像剤担持体との対向部で該現像剤担持体表面とは反対方向に表面移動するように、該回転部材を回転駆動する回転駆動手段を備えていることを特徴とする現像装置。
【請求項８】
請求項１、２又は３の現像装置において、
上記回転部材が、上記現像剤担持体上の現像剤搬送方向に交差する方向に沿って延在し且つ表面に磁極が着磁された部材であり、
該現像剤担持体との対向部で該現像剤担持体表面とは反対方向に表面移動するように、該回転部材を回転駆動する回転駆動手段を備えていることを特徴とする現像装置。
【請求項９】
請求項８の現像装置において、
上記回転部材の表面に、上記磁極が複数着磁されていることを特徴とする現像装置。
【請求項１０】
請求項９の現像装置において、
上記複数の磁極が、Ｓ極及びＮ極を交互に着磁したものであることを特徴とする現像装置。
【請求項１１】
請求項１０の現像装置において、
上記複数の磁極がそれぞれ、該回転部材の回転軸の延在方向に沿って直線状に着磁されていることを特徴とする現像装置。
【請求項１２】
請求項９の現像装置において、
上記回転部材の回転軸の延在方向にＳ極及びＮ極が交互に並んだ磁極群をさらに該回転部材表面の周方向に複数配列させるように、上記複数の磁極を着磁したことを特徴とする現像装置。
【請求項１３】
請求項４、５、６、７、８、９、１０、１１又は１２の現像装置において、
上記回転駆動手段が、上記回転部材の回転速度を変化させて回転駆動可能なものであることを特徴とする現像装置。
【請求項１４】
請求項１３の現像装置において、
現像対象の画像における画像比率に基づいて、上記回転駆動手段を制御する制御手段を設けたことを特徴とする現像装置。
【請求項１５】
請求項１３の現像装置において、
装置内の温度を測定するための温度測定手段と、
該温度測定手段の温度測定結果に基づいて上記回転駆動手段を制御する制御手段とを設けたことを特徴とする現像装置。
【請求項１６】
請求項１３の現像装置において、
装置内の湿度を測定するための湿度測定手段と、
該湿度測定手段の湿度測定結果に基づいて上記回転駆動手段を制御する制御手段とを設けたことを特徴とする現像装置。
【請求項１７】
請求項４、５、６、７、８、９、１０、１１又は１２の現像装置において、
上記回転部材の表面が粗し加工されていることを特徴とする現像装置。
【請求項１８】
請求項５又は６の現像装置において、
上記回転部材が磁性体を用いて構成され且つ上記現像剤担持体表面における法線方向磁束密度分布のピーク位置に対向していることを特徴とする現像装置。
【請求項１９】
請求項１８の現像装置において、
上記回転部材の周面上で上記現像剤担持体と対向する側とは反対側の面における法線方向磁束密度が５ｍＴ以上であることを特徴とする現像装置。
【請求項２０】
潜像担持体上に潜像を形成する潜像形成手段と、該潜像担持体上の潜像を現像しトナー像を形成する現像装置と、該潜像担持体上のトナー像を転写材に転写する転写装置とを備えた画像形成装置において、
該現像装置として、請求項１乃至１９のいずれかの現像装置を備えたことを特徴とする画像形成装置。
【発明の詳細な説明】
【０００１】
【発明の属する技術分野】
本発明は、複写機、プリンタ、ファクシミリ等の画像形成装置及び該装置に用いる現像装置に係り、詳しくは、トナーと磁性キャリアとを含む２成分現像剤を用い、複雑なトナー補給装置を用いることなく、現像剤担持体上の現像剤のトナー濃度を一定範囲に制御することができる自己トナー濃度制御機構を有する現像装置及び該装置を備えた画像形成装置に関するものである。
【０００２】
【従来の技術】
従来、この種の現像装置として、内部に磁界発生手段が配置された現像剤担持体に担持されて搬送される現像剤の量を現像剤規制部材で規制し、該現像剤規制部材で掻き取られた現像剤を現像剤収容部内に収容し、この現像剤収容部に現像剤搬送方向上流側から隣接し該現像剤担持体表面に対向するトナー補給用開口から、トナー収容部内に収容されたトナーを現像剤担持体上の現像剤に補給する現像装置が知られている（例えば、特開平９―２２１７８号公報参照）。この現像装置では、上記トナー補給用開口において現像剤担持体上に担持搬送されている搬送現像剤に接しているトナーが、該搬送現像剤と現像剤収容部に収容されている収容現像剤との界面から引き込まれるように現像剤に取り込まれる。そして、現像剤担持体上の現像剤のトナー濃度が上昇すると、現像剤の嵩が増えることにより、現像剤収容部内に収容されている収容現像剤が上記トナー補給用開口を覆うように延びてきて、該トナー補給用開口におけるトナー収容部から現像剤担持体上の現像剤へのトナー取り込みを抑制する。これにより、現像剤担持体上の現像剤のトナー濃度を一定範囲内に制御することができる。
また、上記現像剤収容部と上記トナー収容部のトナー補給用開口との間に、現像剤担持体表面に対して所定の間隙を有する第２現像剤規制部材を設けた現像装置が知られている（例えば、特開平９―１９７８３３号公報参照）。この現像装置では、現像剤担持体上の現像剤のトナー濃度が上昇すると、該現像剤の層厚が増加し、該増加した現像剤の通過が該第２現像剤規制部材で規制される。この規制された現像剤が、該第２現像剤規制部材に対して現像剤搬送方向上流側から隣接する上記トナー補給用開口を覆い、トナー収容部から現像剤担持体上に担持搬送されている現像剤へのトナー取り込みを抑制する。これにより、現像剤担持体上の現像剤のトナー濃度を一定範囲内に制御することができる。
【０００３】
このように現像剤担持体上の現像剤のトナー濃度を一定範囲内に制御（以下「自己トナー濃度制御」という。）を行う現像装置によれば、トナー濃度センサが必要なくなると共に、パドル・スクリューなどの撹拌部材を省略することができるため、トナー補給装置を簡素化できる。更に、従来の二成分現像方式に比較して磁性キャリアが少なくて済み、装置のトルクを大幅に減少できる。これらのことから、装置の小型化、低コスト化を図ることができるというメリットがある。さらに、トナー収容部のトナーを、現像領域に通過してきた現像剤担持体上の現像剤に直接補給できるため、現像剤担持体上の現像剤のトナー濃度が低下した部分に対して速やかにトナーを補給することができる。したがって、黒ベタ追従性が良いというメリットもある。
【０００４】
【発明が解決しようとする課題】
ところが、上記自己トナー濃度制御を行う現像装置においては、経時的に地汚れ及び現像濃度の低下が発生したり、現像剤担持体上の現像剤搬送方向と直交する幅方向（以下「担持体幅方向」という。）に現像濃度ムラが発生したりする場合があった。これらの画像品質の低下の原因について、本発明者らが鋭意研究を行った結果、次のような原因が考えられることがわかった。
【０００５】
上記経時的な地汚れ及び現像濃度低下の原因としては、現像剤担持体上の現像剤と現像剤収容部内に滞留した現像剤との入れ替えが十分に行われないことによる現像剤の早期劣化が考えられる。現像剤担持体上に担持されて搬送されている現像剤が現像剤担持体上からほとんど剥離すること無く連れ廻っているため、現像剤収容部内に滞留する現像剤との入れ替えがほとんど行われない場合がある。この現像剤の入れ替えが行われないと、現像剤担持体上に担持されている現像剤中の磁性キャリヤに対するストレスが相対的に高くなり、現像剤収容部内に滞留する現像剤中の磁性キャリヤよりも早期に劣化してしまうおそれがある。現像剤担持体上の磁性キャリアが早期劣化すると、現像装置内の現像剤全体としてはそれほど劣化していなくても、実際に作像に携わっている現像剤担持体上の磁性キャリヤの帯電能力が低下するおそれがある。この磁性キャリヤの帯電能力の低下により、地汚れ又は現像濃度の低下等を引き起こし、画像品質の低下を免れず、早期の現像剤交換を余儀なくされてしまう。
【０００６】
また、上記現像剤担持体上の現像剤と現像剤収容部内に滞留した現像剤との入れ替えが十分に行われない場合には、トナー帯電不良を引き起こすおそれもある。現像剤の入れ替えが行われないと、ほとんど現像剤担持体上だけで消費量に見合うトナーが供給されて混合され、所定の帯電量を得なければならないことになる。ところが、現像剤担持体の表面移動速度が速い（現像ローラの場合、回転が数百ｒｐｍ）と、帯電が間に合わず、帯電不良を引き起こすおそれがある。特にトナー消費の多い部分があると他の部分と比較して現像濃度の低下が顕著に現れてしまう等の画像品質の低下を招いてしまうことになる。
【０００７】
また、上記担持体幅方向における現像濃度ムラの原因としては、該担持体幅方向におけるトナーの帯電ムラが考えられる。
現像剤のトナー消費部分に新しいトナーが補給されるとき、トナー補給の遅れや補給量のばらつきが生じる場合がある。このようなトナー補給の遅れや補給量のばらつきによってトナー補給が不足した部分はトナー濃度が低下し、トナー帯電量が上昇する。特に、黒ベタなどのトナー消費量が多い画像が形成されると、多量のトナーが消費された現像剤へのトナー補給が追いつかず、トナー濃度が低下したまま次の現像が行われてしまうおそれがある。また、多量のトナーが消費された現像剤へはトナーの取り込みが急激に行われるため、トナーの取り込みに勢いがついて余分なトナーまで取り込まれ、その部分のトナー濃度が必要以上に上昇したまま次の現像が行われる場合もある。
また、非画像部ではトナーの消費が行われないため、本来トナーが取り込まれないはずだが、僅かながらトナーが取り込まれてしまってトナー濃度が上昇し、トナー帯電量が低下してしまうおそれがある。
このように上記担持体幅方向において現像剤担持体上の現像剤にトナー濃度やトナー帯電量の不均一状況が発生すると、トナー濃度が低くトナー帯電量の高い部分は、相対的に白い画像（白帯）となり、トナー濃度が高くトナー帯電量の低い非画像部分は濃い画像となり、上記担持体幅方向での現像濃度ムラが発生する。
【０００８】
また、上記担持体幅方向における現像濃度ムラは、トナー収容部のトナー補給用開口の寸法や位置が上記上記担持体幅方向でばらついたり、現像剤担持体が内蔵する磁界発生手段としてのマグネットローラの磁力が上記担持体幅方向でばらついたりすることによっても発生するおそれがある。
【０００９】
さらに、本発明者らが更に鋭意研究を行ったところ、上記担持体幅方向での現像濃度ムラの原因は、上記第２現像剤規制部材の現像剤担持体に対向する部分の表面粗さや、トナー収容部内に設けているアジテータのトナーを送り出す圧力不足にもあることも分かった。前者は、第２現像剤規制部材の現像剤担持体に対向する部分の表面粗さが現像剤中へのトナーの取り込み量に影響し、該表面粗さが上記担持体幅方向で不均一の場合にトナー取り込み量が均一にならないことにより、上記担持体幅方向での現像濃度ムラが生じると考えられる。後者は、上記トナー収容部内のアジテータのトナー送り出し圧力が上記担持体幅方向でばらついている場合である。黒ベタなどのトナー消費量が多い部分へトナーを送り出すために必要な圧力に達していない部分が存在すると、その部分の現像剤へのトナー取り込み不足が生じることにより、上記担持体幅方向での現像濃度ムラが生じると考えられる。
【００１０】
なお、本出願人は、上記第２現像剤規制部材を備えた構成で上記現像濃度ムラを防止できるものとして、上記現像剤収容部に、現像剤担持体上の現像剤をはがすための現像剤剥離部材と現像剤を撹拌するための現像剤撹拌部材とを設けた現像装置を提案している（特開平１０−２３２５４０号参照）。この現像装置は、現像剤収容部内で現像剤担持体上に担持搬送されている現像剤をすべて現像剤剥離部材（マイラ）で一旦はがし、該現像剤剥離部材ではがした現像剤を現像剤撹拌部材で撹拌するものである。しかしながら、本発明者らが行った最近の実験研究の結果、現像剤収容部内で現像剤担持体上現像剤のすべてを一旦剥離するような構成では、上記自己トナー濃度制御が不安定になりやすく、最悪の場合はトナー濃度制御が機能しなくなってしまうおそれがあることがわかった。この原因としては次のようなことが考えられる。現像剤収容部内で現像剤担持体上の現像剤をすべて剥離してしまうと、現像剤のトナー濃度が上昇したとしても、上記現像剤剥離部材ではがされた現像剤が次々と現像剤収容部のスペースをすべて満たすまで収容されていく。そのため、トナー濃度上昇時に、該現像剤剥離部材よりも現像剤搬送方向上流側における現像剤担持体上の現像剤の移動を抑制する力が作用しにくくなり、第２現像剤規制部材の現像剤搬送方向上流側で予定したような現像剤の滞留部が発生しないと考えられる。
【００１１】
本発明は以上の問題点に鑑みなされたものであり、その目的は、安定した自己トナー濃度制御を維持しつつ、経時的な地汚れ及び現像濃度の低下を防止するとともに現像剤担持体上の現像剤搬送方向と直交する担持体幅方向における現像濃度ムラのない良好な現像を行うことができる現像装置および該装置を備えた画像形成装置を提供することである。
【００１２】
【課題を解決するための手段】
上記目的を達成するために、請求項１の発明は、内部に磁界発生手段を有し、トナーと磁性キャリアとを含む現像剤を担持して搬送するように表面移動する現像剤担持体と、該現像剤担持体に担持され現像領域に向けて搬送される該現像剤の量を規制する第１現像剤規制部材と、該第１現像剤規制部材で該現像領域に向けての搬送を規制された現像剤を収容する現像剤収容部と、該現像剤収容部の現像剤搬送方向上流側で該現像剤担持体表面に臨むトナー補給用開口を有するトナー収容部と、該現像剤担持体の表面が該トナー収容部のトナー補給用開口に対向している対向部から該現像剤収容部に向かって該現像剤担持体の表面に連れ回るように担持搬送されている該現像剤担持体上の搬送現像剤の量を規制する第２現像剤規制部材とを備え、該第２現像剤規制部材と該現像剤担持体の表面との間隙が、該現像剤担持体上の該搬送現像剤のトナー濃度上昇に伴って該第２現像剤規制部材による該搬送現像剤の規制量が増加するように設定されている現像装置において、該第２現像剤規制部材と該第１現像剤規制部材との間の該現像剤収容部内で該現像剤担持体の表面に非接触で対向するローラ状の回転部材を備え、該回転部材の表面と該現像剤担持体の表面との間隙をＧｈとし、該第２現像剤規制部材と該現像剤担持体の表面との間隙をＧd2としたとき、０＜Ｇｈ＜Ｇd2の関係を満たすことを特徴とするものである。
【００１３】
請求項１の現像装置においては、現像剤収容部に対向する部分に搬送されてきた現像剤担持体上の搬送現像剤の上層部が、現像剤収容部内の回転部材で剥離される。この回転部材で剥離された現像剤（以下「剥離現像剤」という。）は、現像剤収容部内に収容されている現像剤（以下「収容現像剤」という。）と混合される。この現像剤の混合により、現像剤に取り込まれたトナーが撹拌されて分散するとともに現像剤中のトナーと磁性キャリアとの摩擦帯電によるトナーの帯電が促進され、搬送現像剤中のトナーの分布及び帯電量が均一になる。この現像剤収容部内で剥離現像剤と収容現像剤とが混合された現像剤の一部は、上記回転部材の現像剤搬送方向下流側で、現像剤担持体上の回転部材で剥離されずに搬送されている現像剤（以下「非剥離現像剤」という。）とともに現像剤担持体上に担持される。この現像剤担持体上の現像剤は、第１現像剤規制部材で規制されて所定の層厚にされた後、現像に用いられる。
また、現像剤担持体上に担持搬送されている搬送現像剤の上層部だけを剥離することにより、現像剤担持体上での現像剤の担持搬送に対する剥離の影響を小さくし、上記自己トナー濃度制御が損なわれず安定するようにしている。
【００１４】
更に、請求項１の現像装置においては、第２現像剤規制部材を用いることで現像剤担持体上の磁力ムラ等の影響を受けることなく安定したトナー濃度制御がなされた現像剤担持体上の搬送現像剤の上層部が、上記回転部材で剥離され、上記現像剤収容部の収容現像剤と混合されることにより、搬送現像剤のトナーの撹拌分散及びトナー帯電が促進されるので、搬送現像剤の均一化をさらに図ることができる。
【００１５】
また、請求項１の現像装置においては、上記間隔Ｇｈ及びＧd2が上記所定の関係を満足することにより、トナー収容部からトナーを取り込んで第２現像剤規制部材による規制位置を通過した現像剤担持体上の搬送現像剤の上層部が、上記回転部材に確実に接触し、剥離される。
【００１６】
請求項２の発明は、請求項１の現像装置において、上記磁界発生手段は、上記回転部材に対向する位置と上記第２現像剤規制部材に対向する位置との間に磁極を有していないことを特徴とするものである。
【００１７】
請求項２の現像装置においては、上記磁界発生手段が、上記回転部材に対向する位置と上記第２現像剤規制部材に対向する位置との間に磁極を有していないので、現像剤収容部内に収容されている現像剤が、現像剤のトナー濃度の高低にかかわらず、第２現像剤規制部材と現像剤担持体表面との間隙の方に向かって引き寄せられるような現像剤の流れが発生しない。したがって、現像剤のトナー濃度が上昇していないにもかかわらず上記現像剤の流れによって該現像剤の一部が該間隙からトナー補給口側にはみ出るという現象が発生することがなくなり、現像剤担持体上の搬送現像剤のトナー濃度が低下した場合の該現像剤へのトナー取り込みが適正に行われる。
【００１８】
請求項３の発明は、請求項２の現像装置において、上記第２現像剤規制部材に対向する位置から上記回転部材に対向する位置に至るまで上記現像剤担持体表面上の磁束密度が、該現像剤担持体表面に上記現像剤を磁力で担持できる磁束密度であることを特徴とするものである。
【００１９】
請求項３の現像装置においては、上記第２現像剤規制部材に対向する位置から上記回転部材に対向する位置に至る剥離前の区間でも、現像剤担持体表面に現像剤が連続して担持されるので、上記現像剤担持体上の現像剤搬送に伴う現像剤の移動を利用した上記自己トナー濃度制御が安定する。
【００２０】
請求項４の発明は、請求項１、２又は３の現像装置において、上記現像剤担持体との対向部で該現像剤担持体表面とは反対方向に表面移動するように、上記回転部材を回転駆動する回転駆動手段を備えていることを特徴とするものである。
【００２１】
請求項４の現像装置においては、現像剤収容部内で上記所定方向に回転駆動されている回転部材によって現像剤担持体上の現像剤の上層部がせき止められて剥離される。この剥離された現像剤は、回転部材の表面移動に従って連れ回され、現像剤担持体表面から離れるように移動し、現像剤収容部内の収容現像剤と混合される。ここで、上記現像剤を剥離する部材としてローラ状の回転部材を用いているので、回転部材が回転したとしても回転部材と現像剤担持体表面との間隙が一定になり、現像剤担持体から現像剤の上層部を現像剤搬送方向においてムラなく剥離することができる。
【００２２】
請求項５の発明は、請求項４の現像装置において、上記回転部材が、磁性体を用いて構成されていることを特徴とするものである。
【００２３】
請求項５の現像装置においては、上記磁界発生手段で発生した磁界が、磁性体を用いて構成した回転部材に及ぶことにより、該磁界で回転部材が磁化されるため、回転部材の表面に磁力で現像剤を引き付けて担持できるようになる。この回転部材で現像剤担持体上の現像剤の上層部を磁力で担持することにより該現像剤の剥離をより確実に行うことができる。
【００２４】
請求項６の発明は、請求項５の現像装置において、上記回転部材が、上記現像剤担持体上の現像剤搬送方向と交差する方向の両端部で支持されたものであり、該回転部材の該交差方向における中央部の径が両端部の径よりも小さいことを特徴とするものである。
【００２５】
請求項６の現像装置においては、上記磁界発生手段で発生した磁界による磁気力で上記回転部材の中央部が現像剤担持体側に撓んだとしても、回転部材の中央部と両端部との間で回転部材の表面と現像剤担持体の表面との間隙のムラを抑制することができる。
なお、上記回転部材の径は、その回転部材の撓み量の応じて上記中央部から上記両端部にかけて連続的に変化するように設定するのが好ましい。
【００２６】
請求項７の発明は、請求項１、２又は３の現像装置において、上記回転部材が、上記現像剤担持体上の現像剤搬送方向と交差する方向に沿って延在し且つ磁性体を含む部材であり、該現像剤担持体との対向部で該現像剤担持体表面とは反対方向に表面移動するように、該回転部材を回転駆動する回転駆動手段を備えていることを特徴とするものである。
【００２７】
請求項７の現像装置においては、上記現像剤収容部内で磁性体を含む回転部材が上記所定方向に回転するので、回転部材で現像剤担持体上の現像剤の上層部をせき止め磁力で引き付けて担持し、該現像剤の剥離をより確実に行うことができる。
【００２８】
請求項８の発明は、請求項１、２又は３の現像装置において、上記回転部材が、上記現像剤担持体上の現像剤搬送方向に交差する方向に沿って延在し且つ表面に磁極が着磁された部材であり、該現像剤担持体との対向部で該現像剤担持体表面とは反対方向に表面移動するように、該回転部材を回転駆動する回転駆動手段を備えていることを特徴とするものである。
【００２９】
請求項８の現像装置においては、上記現像剤収容部内で表面に磁極が着磁された回転部材が上記所定方向に回転すると、回転部材表面の磁極と、現像剤担持体内の磁界発生手段における磁極との距離が変化するので、回転部材の回転に伴って現像剤担持体から剥離された現像剤を引き付ける力が変化し、上記現像剤の混合が活発になる。
【００３０】
請求項９の発明は、請求項８の現像装置において、上記回転部材の表面に、上記磁極が複数着磁されていることを特徴とするものである。
【００３１】
請求項９の現像装置においては、上記現像剤を剥離する部材としてローラ状の回転部材を用いているので、回転部材が回転したとしても回転部材表面と現像剤担持体表面との間隔が一定になるので、現像剤担持体から現像剤をムラなく剥離することができる。また、上記回転部材の表面に複数の磁極を有しているので、回転部材の表面に、現像剤を強く引き付ける部分が複数存在することになる。したがって、回転部材が回転することにより回転部材の周囲に存在する現像剤に対する磁力が変化し、該現像剤の混合が更に活発になる。
【００３２】
請求項１０の発明は、請求項９の現像装置において、上記複数の磁極が、Ｓ極及びＮ極を交互に着磁したものであることを特徴とするものである。
【００３３】
請求項１０の現像装置においては、上記回転部材表面にＳ極及びＮ極が交互に着磁されているので、回転部材の表面に現像剤を引き付ける力が強くなり、現像剤担持体上の現像剤の剥離を確実に行うことができるとともに、該現像剤の混合が更に活発になる。
【００３４】
請求項１１の発明は、請求項１０の現像装置において、上記複数の磁極がそれぞれ、該回転部材の回転軸の延在方向に沿って直線状に着磁されていることを特徴とするものである。
【００３５】
請求項１１の現像装置においては、上記回転部材の表面に、その回転部材の回転軸方向に沿って延在するように現像剤が凸状に担持される。この回転部材の回転軸方向に延在するように担持された凸状の現像剤が回転部材の回転に伴って周方向に移動し、現像剤収容部内の現像剤に対して移動力を与えるので、現像剤の混合が更に活発になる。
【００３６】
請求項１２の発明は、請求項９の現像装置において、上記回転部材の回転軸の延在方向にＳ極及びＮ極が交互に並んだ磁極群をさらに該回転部材表面の周方向に複数配列させるように、上記複数の磁極を着磁したことを特徴とするものである。
【００３７】
請求項１２の現像装置においては、上記回転部材の表面に全体にわたって、現像剤が凹凸状に担持されるので、上記現像剤の混合が更に活発になる。
【００３８】
請求項１３の発明は、請求項４、５、６、７、８、９、１０、１１又は１２の現像装置において、上記回転駆動手段が、上記回転部材の回転速度を変化させて回転駆動可能なものであることを特徴とするものである。
【００３９】
請求項１３の現像装置においては、現像剤に取り込むトナーの量に応じて該回転部材と現像剤担持体との間でおきる現像剤同士の摩擦帯電を行うことが可能となるとともに、現像剤の不要な混合を回避できるようになる。
【００４０】
請求項１４の発明は、請求項１３の現像装置において、現像対象の画像における画像比率に基づいて、上記回転駆動手段を制御する制御手段を設けたことを特徴とするものである。
【００４１】
請求項１４の現像装置においては、上記画像比率によりトナー消費を求め、そのトナー消費にあわせて上記回転部材の線速を変化させることができる。したがって、トナ消費に応じた適正なトナー帯電を行うことができるとともに、現像剤の不要な混合を回避することによって現像剤の劣化を防ぐことができる。
【００４２】
請求項１５の発明は、請求項１３の現像装置において、装置内の温度を測定するための温度測定手段と、該温度測定手段の温度測定結果に基づいて上記回転駆動手段を制御する制御手段とを設けたことを特徴とするものである。
【００４３】
請求項１５の現像装置においては、現像剤の温度が高いときはトナーの凝集度の増加を考慮して回転部材の線速を大きくするように変化させることにより、適正なトナー帯電をより安定化して行うことができる。一方、現像剤の温度が低いときは、回転部材の線速を小さくして現像剤の不要な混合を回避し、現像剤の劣化を防ぐことができる。
【００４４】
請求項１６の発明は、請求項１３の現像装置において、装置内の湿度を測定するための湿度測定手段と、該湿度測定手段の湿度測定結果に基づいて上記回転駆動手段を制御する制御手段とを設けたことを特徴とするものである。
【００４５】
請求項１６の現像装置においては、現像剤の湿度が高いときはトナーの凝集度の増加を考慮して回転部材の線速を大きくするように変化させることにより、適正なトナー帯電をより安定化して行うことができる。一方、現像剤の湿度が低いときは、回転部材の線速を小さくして現像剤の不要な混合を回避し、現像剤の劣化を防ぐことができる。
【００４６】
請求項１７の発明は、請求項４、５、６、７、８、９、１０、１１又は１２の現像装置において、上記回転部材の表面が粗し加工されていることを特徴とするものである。
【００４７】
請求項１７の現像装置においては、表面を粗し加工した回転部材を用いることにより、回転部材による現像剤の掻き取り機能及び保持機能を高めることができ、回転部材によって現像剤担持体上の現像剤の上層部を確実に剥離して搬送することができる。
【００４８】
請求項１８の発明は、請求項５又は６の現像装置において、上記回転部材が磁性体を用いて構成され且つ上記現像剤担持体表面における法線方向磁束密度分布のピーク位置に対向していることを特徴とするものである。
【００４９】
請求項１８の現像装置においては、回転部材が現像剤担持体表面上における法線方向磁束密度分布のピーク位置に対向するように設けられていることから、回転部材が磁化されやすくなって回転部材による搬送力が最も大きく発揮され、現像剤収容部内における現像剤の混合が効果的に行われる。
【００５０】
請求項１９の発明は、請求項１８の現像装置において、上記回転部材の周面上で上記現像剤担持体と対向する側とは反対側の面における法線方向磁束密度が５ｍＴ以上であることを特徴とするものである。
【００５１】
請求項１９の現像装置においては、上記現像剤担持体と対向する側とは反対側における回転部材の表面にも、磁力で現像剤を確実に担持して搬送することができるため、上記現像剤の混合をさらに効果的に行うことができる。
【００５２】
請求項２０の発明は、潜像担持体上に潜像を形成する潜像形成手段と、該潜像担持体上の潜像を現像しトナー像を形成する現像装置と、該潜像担持体上のトナー像を転写材に転写する転写装置とを備えた画像形成装置において、該現像装置として、請求項１乃至１９のいずれかの現像装置を備えたことを特徴とするものである。
【００５３】
請求項２０の画像形成装置では、上記現像装置を用いて潜像担持体上の潜像を現像することにより、経時的な地汚れ及び濃度低下や画像幅方向における濃度ムラのない画像を形成することができる。
【００５４】
【発明の実施の形態】
〔実施形態１〕
本発明を電子写真式の画像形成装置であるレーザプリンタ（以下、「プリンタ」という。）の現像装置に適用した第１の実施形態について説明する。
まず、図２を用いて本実施形態に係るプリンタの概略について説明する。潜像担持体としての感光体ドラム１は、図中矢印Ａ方向に回転駆動されながら、感光体ドラム１に接触してその表面を帯電する帯電ローラ５０により一様に帯電された後、光書き込みユニット５１により画像情報に基づき走査露光されて表面に静電潜像が形成される。本実施形態では、上記帯電ローラ５０及び光書き込みユニット５１により潜像形成手段が構成されているが、他の種類の帯電装置や露光装置を用いて構成してもよい。感光体ドラム１上に形成された静電潜像は、後述する現像装置２により現像され、感光体ドラム１上にトナー像が形成される。感光体ドラム１上に形成されたトナー像は、転写装置としての転写ローラ５３を備えた転写ユニットにより給紙カセット５４から給紙ローラ５５、レジストローラ対５６を経て搬送された転写材としての用紙５２上に転写される。転写終了後の用紙５２は、定着ユニット５７によりトナー像が定着され機外に排出される。なお、転写されなかった感光体ドラム１上の残留トナーは、クリーニングユニット５８により感光体ドラム１から除去される。また、感光体ドラム１上の残留電荷は除電ランプ５９で除去される。
【００５５】
次に、本実施形態に係る現像装置の全体構成について説明する。
図３は現像装置２の全体の概略構成図であり、図１は同現像装置２の主要部の拡大図である。この現像装置２は感光体ドラム１の側方に配設され、トナー３ａ及び磁性キャリア（以下「キャリア」という。）とを含む二成分現像剤（以下「現像剤」という。）３を表面に担持する現像剤担持体としての非磁性材質からなる現像スリーブ４を備えている。この現像スリーブ４は、ケーシング２ａの感光体ドラム１側に形成された開口部から一部露出するように取り付けられ、図示しない駆動装置により、感光体ドラム１と対向する現像領域において現像剤を下方(図中矢印Ｂ方向）に移動させる向きに回転駆動可能になっている。また、現像スリーブ４の内部には、磁界発生手段としての固定磁石群からなるマグネットローラ５が固定配置されている。
【００５６】
また、本現像装置は、現像スリーブ４上に担持され現像領域に向けて搬送されている現像剤の量を規制する第１現像剤規制部材としてのドクタ６、該ドクタ６に現像剤搬送方向上流側で現像スリーブ４の表面及びドクタ６との間に現像剤３を収容する現像剤収容部Ｓを形成するように設けられた現像剤収容ケース７、トナー収容部としてのトナーホッパ８なども備えている。トナーホッパ８は現像スリーブ４上の現像剤搬送方向における現像剤収容部Ｓの上流側に隣接して現像スリーブ表面と対向するトナー補給用開口（以下「トナー補給口」という。）８ａを有している。また、トナーホッパ８の内部には、図中矢印Ｃで示す時計方向に回転しながらトナー３ａをトナー補給口８ａに向けて撹拌しながら送り出すトナー撹拌部材としてのトナーアジテータ９が配設されている。
【００５７】
上記現像剤収容ケース７の現像スリーブ４に近接する先端部（ひさし部）は、トナーホッパ８からトナーが補給され現像剤収容部Ｓ内に向かって進行しようとする現像剤の量を規制する第２現像剤規制部材としてのプレドクタ７ａとして用いられている。また、上記現像剤収容ケース７等で形成される現像剤収容部Ｓには、感光体ドラム１との対向する現像領域に供給されずにドクタ６で進行が阻止された現像剤が収容される。
【００５８】
上記マグネットローラ５の表面部には、該ローラの中心軸方向に沿った方向に延在する磁極が複数形成されている。具体的には、現像領域に対向する位置に主極（Ｎ１極）が形成され、上記現像剤収容部Ｓに磁界の磁力が及ぶように、プレドクタ７ａに対向する位置から上記現像領域に至る間に磁極（Ｓ２極）が配置されている。また、上記マグネットローラ５の表面には、一般的な現像装置と同様に、現像スリーブ４上に現像剤を担持し続けながら搬送するための搬送磁極（Ｓ極、Ｎ極）が適宜配置されている。
なお、本実施形態では、基材に対して磁石片を嵌合固着した固定磁石体、いわゆるブロック型マグネットローラを用いたが、これに限定されるものではない。例えば、所定の形に成形されたプラスチック磁石材料を磁気配向と同時に着磁させて作製するいわゆるフェライト系一体型プラスチックマグネットローラを用いてもよいことはもちろんである。
【００５９】
また、本現像装置は、上記現像剤収容部Ｓ内で現像スリーブ４の表面に非接触で対向し該現像スリーブ４に担持搬送されている現像剤の一部（搬送現像剤の表層部）を剥離する剥離部材として、磁性体で形成されたローラ状の回転部材である剥離ローラ１１を備えている。この剥離ローラ１１は、円筒状であっても円柱状であってもよく、その内部構造は特定の構造に限定されるものではない。
上記剥離ローラ１１の材料（磁性体）としては、例えばＳＵＭ材（硫黄及び硫黄複合快削鋼鋼材）、磁性を有するＳＵＳ材、鉄、ニッケル等を用いることができる。また、鉄芯にニッケルメッキを施したもの、ステンレス素材に磁性材料をコーティングしたもの等を用いることもできる。
また、剥離ローラ１１の表面は、現像スリーブから剥離した現像剤を良好に担持して搬送できるように、サンドブラスト処理等により粗し加工するのが好ましい。例えば、表面粗さ（１０点平均粗さＲｚ）が３０μｍ程度になるように粗し加工する。この表面粗さは、トナーの種類や剥離ローラの材料などの条件に応じてトナーを搬送できる程度に設定する。
【００６０】
また、上記剥離ローラ１１は、図示しない駆動装置により、現像スリーブ４と同じ回転方向（図中矢印Ｅ方向）に回転駆動されている。この回転駆動により、現像スリーブ４と剥離ローラ１１との対向部において、剥離ローラ１１の表面が現像スリーブ表面とは反対方向に表面移動するので、剥離ローラ１１で現像スリーブ４上の現像剤の上層部をせき止めて確実に剥離することができる。そして、この剥離された現像剤は、剥離ローラ１１の表面移動に従って連れ回され、現像スリーブ表面から離れるように移動し、現像剤収容部Ｓ内の収容現像剤と混合される。
【００６１】
また、上記現像剤収容部Ｓに対向する位置にある、マグネットローラ５の磁極（Ｓ２）は、剥離ローラ１１に対向する位置と上記プレドクタ７ａに対向する位置の間に配置しないようにする。本実施形態では、図４に示すように、マグネットローラ５の中心と剥離ローラ１１の中心とを結ぶ線に対する、マグネットローラ５の中心と上記磁極（Ｓ２）とを結ぶ線の傾き角θが２〜１０°程度になるように、該磁極（Ｓ２）の形成位置を設定した。
このように剥離ローラ１１に対向する位置と上記プレドクタ７ａに対向する位置の間に磁極を配置しないようにすることにより、現像剤収容部Ｓ内に収容されている現像剤が、現像剤のトナー濃度の高低にかかわらずプレドクタ７ａと現像スリーブ表面との間隙の方に向かって引き寄せられるような現像剤の異常な流れが発生しないようになる。
【００６２】
また、図４に示すように、剥離ローラ１１と現像スリーブ表面との間隙Ｇｈと、上記プレドクタ７ａと現像スリーブ表面との間隙Ｇd2は、０＜Ｇｈ＜Ｇd2の関係を満たすように設定するのが好ましい。このように両間隙Ｇｈ及びＧd2を設定することにより、トナーホッパ８からトナーを取り込んでプレドクタ７ａによる規制位置を通過した現像スリーブ４上の搬送現像剤の上層部が、剥離ローラ１１に確実に接触し、剥離される。
【００６３】
なお、上記磁性体からなる剥離ローラ１１を用いた場合、現像スリーブ４内のマグネットローラ５の磁気作用により、該剥離ローラ１１の表面に磁極が発生し、効率的に現像スリーブ４上の現像剤３を剥離することができる。しかしながら、剥離ローラ１１に作用する磁気力により該剥離ローラ１１の軸方向における中央部が現像スリーブ４側に近づくように撓んでしまい、現像スリーブ４との間隔が狙いの間隔よりも狭くなってしまう場合がある。
そこで、上記撓みが発生するような場合には、図５に示すように剥離ローラ１１の中央部の径Ｄ２を両端部の径Ｄ１よりも小さくするのが好ましい。この剥離ローラ１１を用いることにより、剥離ローラ１１と現像スリーブ４との間の間隔を軸方向の全体にわたって略均一することができる。従って、該中央部から両端部にかけて均一な剥離動作を行うことができる。
上記撓みが発生しない場合、上記剥離部材としては、軸方向全域にわたって直径が一定である断面形状が円形の真直棒状の剥離ローラを用いてもよい。
【００６４】
次に、図１及び図３に基づいて、上記構成の現像装置の現像動作について説明する。
現像スリーブ４上の現像剤３は該スリーブ４の矢印Ｂ方向の回転に伴って搬送され、ドクタ６により規制されて薄層化される。薄層化された現像剤３は、矢印Ａ方向に回転している感光体ドラム１と対向する現像領域に搬送される。この現像領域で、感光体ドラム１上に形成されている静電潜像にトナーが供給され、該静電潜像の可視像化が行われる。現像領域を通過した現像スリーブ４上の現像剤は該スリーブ４の回転に伴って更に搬送され、トナー補給口８ａと対向する位置に到達する。このトナー補給口８ａには、トナーホッパ８内のトナー３ａがアジテータ９で送り出され現像スリーブ４上の現像剤と接するように滞留している。トナー補給口８ａで新しいトナー３ａを取り込んだ後、現像剤収容部Ｓに戻る。そして、新しいトナー３ａを含んだ現像剤３はドクタ６による規制部で内圧が増加する。この内圧の増加した現像剤中でキャリアとの摩擦帯電によってトナー帯電が行われる。一方、上記現像領域に供給されずにドクタ６で進行が阻止された現像剤３の一部は、現像剤収容部Ｓ内で循環するように移動する。
【００６５】
次に、図６（ａ）及び（ｂ）を用いて、本現像装置における現像動作時の自己トナー濃度制御について説明する。なお、図６中の２点鎖線は、互いに異なる挙動を示す現像剤同士の界面を示している。
まず、現像装置に初期剤として所定のトナー濃度及び重量を有する現像剤をセットして、現像スリーブ４及び剥離ローラ１１を回転駆動すると、現像剤３は搬送現像剤３ｂ、収容現像剤３ｃ及び剥離現像剤３ｄの３つの部分に分かれる。搬送現像剤３ｂは現像スリーブ４の表面に磁力で担持され該表面に連れ回るように搬送される現像剤である。収容現像剤３ｃは現像剤収容部Ｓ内に収容され上記搬送現像剤３ｂの移動に伴って現像剤収容部Ｓ内で循環移動する現像剤である。また、剥離現像剤３ｄは現像スリーブ４上の搬送現像剤３ｂから一部剥離され剥離ローラ１１の回転に伴って該剥離ローラ１１の表面に沿って移動する現像剤である。
そして、現像剤収容部Ｓ内では、図６（ａ）に示すように４つの現像剤流Ｆ１、Ｆ２、Ｆ３、Ｆ４が発生する。第１の現像剤流Ｆ１は、現像スリーブ４と剥離ローラ１１との間を通過するように流れる搬送現像剤３ｂの流れである。第２の現像剤流Ｆ２は、現像スリーブ４から剥離されて剥離ローラ１１に沿って移動し、その一部が剥離ローラ１１とプレドクタ７ａの間の空間で循環する循環流である。第３の現像剤流Ｆ３は、剥離ローラ１１の表面に沿って該ローラの上方を環流する剥離現像剤３ｄの流れである。第４の現像剤流Ｆ４は、ドクタ６で現像剤が該ドクタの背面を上昇し該ドクタ６と剥離ローラ１１の間の空間で発生する収容現像剤３ｃの循環流である。
【００６６】
次に、上記現像剤収容部Ｓ内に上記現像剤流Ｆ１〜Ｆ４が発生した状態で、トナーホッパー８にトナー３ａがセットされると、トナー補給口８ａより現像スリーブ４に担持された搬送現像剤３ｂにトナー３ａが供給される。トナーが供給された現像スリーブ４上の現像剤は、該トナーと共に現像剤収容部Ｓへ搬送される。そして、搬送途中で、搬送現像剤３ｂに供給されたトナーは現像スリーブ４の軸中心方向へ若干入り込む。トナーが供給された搬送現像剤３ｂは、プレドクタ７ａによる規制位置を通過した後、剥離ローラ１１でその上層部が剥離されて剥離現像剤３ｄとなる。剥離現像剤３ｄは収容現像剤３ｃとの間で混合されながら搬送され、一部はプレドクタ７ａ近傍に発生する上記循環流Ｆ２に合流する。一方、剥離ローラ１１に担持され続けて搬送される剥離現像剤３ｄは、更に収容現像剤３ｃとの間で混合されながら移動し、現像剤搬送方向下流側で再び現像スリーブ４上に担持され搬送現像剤３ｂとなる。上記剥離現像剤３ｄと収容現像剤３ｃとの混合により、両現像剤同士の入れ替え、現像剤内でのトナーの分散撹拌による均一化、トナーとキャリアとの摩擦帯電によるトナー帯電等が行われる。
【００６７】
次に、上記トナーの補給により現像剤３中のトナー濃度が次第に上昇していくと、現像剤３の嵩が増大していくことにより、トナー補給口８ａに対向する位置からドクタ６による規制位置に至る区間で現像スリーブ４上の搬送現像剤３ｂの層厚が厚くなっていく。それとともに、現像スリーブ４上の搬送現像剤３ｂ内のキャリアの比率が低下することにより、該搬送現像剤３ｂに対する磁力が弱くなっていくため、該搬送現像剤３ｂの移動速度が低下していき、上記区間での現像スリーブ４上の搬送現像剤３ｂの層厚がますます厚くなっていく。この層厚が厚くなった搬送現像剤３ｂは、剥離ローラ１１から受ける搬送を阻止する向きの力（ブレーキ力）を強く受けるようになり、剥離ローラ１１による剥離位置のところに搬送されてくる搬送現像剤３ｂの移動速度はますます低下していく。
そして、トナー補給口８ａに対向する位置で層厚が厚くなった搬送現像剤３ｂの上層部は、上記プレドクタ７ａで掻き取られ、図６（ａ）に示すようにプレドクタ７ａの現像剤搬送方向上流側に滞留していく。以下、この滞留した現像剤を「滞留現像剤」３ｅという。この滞留現像剤３ｅは、それに接する搬送現像剤３ｂの移動に伴って循環運動を行っている。トナー補給口８ａに送り込まれたトナー３ａは、搬送現像剤３ｂの露出している部分に引き付けられるとともに、該搬送現像剤３ｂと該滞留現像剤３ｅとの合流点Ｐから引き込まれるようにして、現像剤中に取り込まれる。
【００６８】
さらに現像剤３のトナー濃度が上昇していくと、図６（ｂ）に示すようにトナー補給口８ａにおける滞留現像剤３ｅの量が増え、該滞留現像剤３ｅでトナーに接している搬送現像剤３ｂの露出面が塞がれ、両現像剤の合流点Ｐもトナー補給口８ａの現像剤搬送方向上流端まで移動する。それとともに、上記トナー補給口８ａの滞留現像剤３ｅ自体の循環移動速度も低下する。この時点で、現像剤へのトナーの取り込みがほぼ終了し、トナー濃度がそれ以上上昇しなくなる。
【００６９】
上記トナーが取り込まれプレドクタ７ａと現像スリーブ４との間のギャップを通過した搬送現像剤３ｂの一部（上層部）は、剥離ローラ１１で剥離される。剥離現像剤３ｄは、収容現像剤３ｃと混合撹拌されながら該剥離ローラ１１の表面に沿って搬送され、その一部は再び現像スリーブ４上に担持される。現像スリーブ４とドクタ６との間のギャップを通過した搬送現像剤３ｂは、感光体ドラム１と対向する現像領域に搬送される。そして、現像領域では、感光体ドラム１上に形成されている静電潜像にトナーが供給され、該静電潜像の現像に用いられる。
【００７０】
上記感光体ドラム１の静電潜像の現像により現像スリーブ４上のトナーが消費されると、この部分のトナー濃度が減少し、現像スリーブ４によって現像剤に作用する搬送力が増加するとともに、この部分の現像剤の嵩も減少する。そして、上記プレドクタ７ａの先端部によって規制される搬送現像剤３ｂの層厚が低下し、トナー補給口８ａ付近に溜まっていた滞留現像剤３の量が減少し、該滞留現像剤３の循環移動速度も上昇してくる。そして、トナー補給口８ａにおいて、現像スリーブ４により搬送される搬送現像剤３ｂとトナーホッパ８内からのトナー３ａとが接触することとなり、再度トナーが取り込まれて上述のように現像剤３のトナー濃度が増加する。
【００７１】
以上のように、現像スリーブ４上のトナー濃度の変化に応じて、該現像スリーブ４上の搬送現像剤の上記プレドクタ７ａによる規制状態が変化し、上記トナーが消費された部分の現像剤のトナー濃度が所定の濃度範囲になるように自己制御される。そしてこれにより、現像スリーブ４上の搬送現像剤３のトナー濃度が常にほぼ一定濃度の範囲となるように保たれる。このため、トナー濃度センサやトナー補給部材などの複雑なトナー濃度制御機構が不要となる。
【００７２】
以上、本実施形態によれば、現像スリーブ４上の搬送現像剤３ｂの一部を剥離して現像剤収容部Ｓ内の収容現像剤３ｃと混合することにより、該搬送現像剤３ｂと該収容現像剤３ｃとの入れ替えが促進されるので、現像剤３中のキャリアの帯電能力低下による現像剤３の早期劣化を防止することができる。また、上記搬送現像剤３ｂと収容現像剤３ｃとの混合により、該現像剤のトナーが分散撹拌され現像剤搬送方向と直交する画像幅方向に関してトナー濃度が均一化されるので、現像濃度ムラのない良好な現像を行うことができる。
【００７３】
また、本実施形態によれば、断面形状が円形である剥離ローラ１１を用いているので、該剥離ローラ１１を回転させたとしても該剥離ローラ１１の周面と現像スリーブ４の周面とのギャップが変動しないので、剥離ローラ回転時の剥離ムラがない。したがって、現像剤搬送方向における現像スリーブ４上の搬送現像剤３ｂにトナー濃度やトナー帯電量のムラを抑制することができ、該現像剤搬送方向における現像濃度ムラを防止することができる。
なお、断面形状が円形以外の例えばクランク形状の剥離部材について実験を行ったところ、剥離ムラが発生し、画像にはクランクの回転ピッチで濃淡差（ムラ）が発生した。
【００７４】
また、本実施形態によれば、磁性体からなる剥離ローラ１１を用いているので、現像スリーブ４中のマグネットローラ５により剥離ローラ１１が磁化されることにより、現像スリーブ４上に担持されて連れ廻っている搬送現像剤３ｂの一部を磁力で吸着することができる。したがって、現像スリーブ４上から現像剤を剥離することと、剥離した現像剤３ｄを剥離ローラの表面に沿って強制的に移動させる流れ（図６中の符号Ｆ３で示した流れ）を作ることがより顕著に行なわれる。よって、現像剤収容部Ｓ内の現像剤との混合撹拌を更に効率よく行なうことができる。
【００７５】
なお、本実施形態において、プリント対象の画像（原稿）の画像比率や装置内の温湿度の測定結果に基づいて、上記剥離ローラ１１の回転を制御するように構成してもよい。
図７は、本実施形態に係るプリンタの制御手段としての制御部の一例を示すブロック図である。パソコン等の外部装置から送られてきた画像データは、画像データ処理部１１０で処理される。この画像データ処理において、潜像形成部で用いられる潜像形成用のデータ等が生成されるとともに、プリント対象の画像の画像比率データが算出される。この画像データ処理部１１０から送られてきたデータに基づいて装置内の各部を制御するエンジン制御部１００は、エンジン制御用ＣＰＵ１０１、ＲＯＭ１０２、ＲＡＭ１０３、Ｉ／Ｏインターフェース１０４などにより構成されている。このエンジン制御部１００には、感光体ドラム駆動部１０５、潜像形成部の駆動部１０６、現像装置２の駆動部１０７、温湿度センサ１０８等が接続されている。エンジン制御用ＣＰＵ１０１は、ＲＯＭ１０２から読み出した制御用のプログラムに従い、画像データ処理部１１０からの入力信号に応じ、また各種駆動部の作動時期を含む各種認識・判断を行いながら、各部へ動作指令を出力し、所定の動作を行わせるものである。また、温湿度センサで検知した温湿度データに基づいて、上記各部を制御できるようになっている。
【００７６】
上記制御部により、例えば、上記プリント対象の画像の画像比率データに基づいて現像装置２の剥離ローラ１１の回転を制御する。この場合は、画像比率に応じて変化するトナー消費に合わせて剥離ローラ１１の線速を変化させ、適正なトナー帯電を行うことができるとともに、現像剤の不要な混合を回避することによって現像剤の劣化を防ぐことができる。
【００７７】
また、環境等によるトナー自体の凝集度の違いによりトナー３ａの取り込み量も変化し搬送速度や嵩の変化も生じることがわかった。トナー３ａは温度と湿度により凝集度が変化し、図８及び９に示すように高温条件下では凝集度が高くなり、また、高湿条件下でも凝集度が高くなることがわかっている。凝集度が高くなることは、トナー３ａが固まっていることを示している。
そこで、画像形成装置本体内部に設けた温湿度センサ１０８により、例えば感光体ドラム１近傍の雰囲気温度を測定し、温度が高くなった場合に、剥離ローラ１１の回転数を高くして剥離ローラ１１の線速を上げることで、現像剤３の混合・撹拌を十分に行い、現像剤３同士の入れ替え及び摩擦帯電を十分に促進させることができる。また、上記温湿度センサ１０８により、画像形成装置内部に湿度を測定し、湿度が高くなった場合に、上記温度が高くなった場合と同様の駆動制御を行うことで、現像剤３の混合・撹拌を十分に行い、現像剤３同士の入れ替え及び摩擦帯電を十分に促進させることができる。
【００７８】
また、本実施形態では、図４に示すように現像剤収容部Ｓに対向する位置にある磁極（Ｓ２）をドクタ６側に若干ずらして配置しているが、この磁極（Ｓ２）が発生する法線方向磁束密度分布のピーク位置が剥離ローラ１１の方向におおむね一致するように構成してもよい。この場合には、剥離ローラ１１が最も磁化されやすくなり、剥離ローラ１１による剥離・搬送力が最も大きく発揮される。その結果、現像剤収容部Ｓ内において、現像スリーブ４と剥離ローラ１１との間で現像剤同士の摩擦帯電が効果的に行われる。
また、現像剤収容部Ｓ内で剥離ローラ１１周りの現像剤循環動作を効果的に進めるためには、剥離ローラ１１の周面上で現像スリーブ１５と対向する側とは反対側の面における法線方向磁束密度を５ｍＴ以上にするのが好ましい。
【００７９】
また、現像剤収容部Ｓ内で剥離ローラ１１周りの現像剤循環動作を効果的に行わせるためには、現像剤が循環できるよう常にある程度の空間を確保しなくてはならない。このためには、現像剤収容部Ｓに空間があるうちにトナー３ａの取込を停止させる必要がある。この点に関し、本発明者らが鋭意検討を重ねた結果、現像スリーブ４上で剥離ローラ１１に対向する位置にある現像剤が受ける磁気力をＦ１とし、現像スリーブ４上でプレドクタ７ａに対向する位置にある現像剤３が受ける磁気力をＦ２とすると、これらの関係を次の（１）式に示す条件にすれば良いことがわかった。
【数１】
Ｆ２＜（２／３）・Ｆ１        ・・・（１）
【００８０】
現像スリーブ４上において上記Ｆ２が相対的に大きくなってくると、剥離ローラ１１によるブレーキ力の影響がトナー補給口８ａ付近まで及ばなくなる。その結果、現像剤のトナー濃度が上昇しても現像剤の搬送速度が低下しなくなり、現像剤３の層厚増加が起きにくくなるため、現像剤収容部Ｓが現像剤で満杯になるまでトナー３ａの取り込みを停止できなくなる。そこで、上記（１）式に示すように、剥離ローラ１１に対向する位置にある現像剤が受ける磁気力の大きさＦ１に対して、プレドクタ７ａに対向する位置にある現像剤が受ける磁気力Ｆ２を相対的に弱く設定して、剥離ローラ１１によるブレーキ力の影響がトナー補給口８ａ付近まで及ぶようにしたものである。
なお、磁力波形の制御は、各極に配置した磁石片の位置、極性、形状、磁力により適宜行えばよい。
【００８１】
また、本実施形態では剥離部材としてローラ状の回転体である剥離ローラ１１を用いているが、剥離部材の形状はこれに限定されるものではない。例えば、図１０に示すように、現像剤収容部Ｓ内の長手方向（現像スリーブの回転軸に沿った方向）ほぼ全域に、現像スリーブ４上の現像剤を剥離面ですくって剥離する剥離部材１０を設けてもよい。この場合、現像スリーブ表面の接線に対する剥離部材１０の剥離面１０ａのすくい角θは、現像剤を滞留させることなく現像剤を効率的に剥離することができるように９０度以上にするのが好ましい。この剥離部材１０の剥離面により、図中反時計方向に回転している現像スリーブ４上に担持されて連れ廻っている搬送現像剤３ｂの上層部が剥離され、矢印Ｄの軌跡で示すような現像剤の流れが発生する。この剥離現像剤の流れにより、現像スリーブ４から剥離した現像剤と現像剤収容部Ｓ内の現像剤との混合・撹拌を促進することができる。この混合・撹拌が行われた現像剤の一部は、剥離部材１０とドクタ６との間において現像スリーブ４上に磁気力で担持される。
【００８２】
（実施例１）
次に、本実施形態に係る現像装置のより具体的な実施例について説明する。
図３に示す現像装置を使い、まず図１１に示すように現像スリーブ４の表面移動方向（図中Ｇ方向）と直交する長手方向（画像幅方向）でトナー消費の異なる様な黒白交互に構成されたテストチャート６０を、プリント対象の画像として用い、２０枚の画像形成を行った。その後、全面均一なハーフトーンで構成されたテストチャートを用いて再び画像形成を行った。実験条件は、表１のような範囲内で設定した。例えば、直径が７ｍｍの剥離ローラ１１を用い、現像スリーブ４と感光体ドラム１とのギャップＧｐを０．３５ｍｍ、現像スリーブ４とドクタとのギャップＧd1を０．４ｍｍ、現像スリーブ４とプレドクタ７ａとのギャップを０．６５ｍｍ、剥離ローラ１１と現像スリーブ４のギャップＧhを０．３５ｍｍに設定する。
【００８３】
【表１】
0004070387.tif 000002
【００８４】
以上の条件下で行った上記画像形成の実験の結果、剥離ローラ１１により剥離されて現像剤の混合撹拌が行われ、現像剤が均一化され、濃度ムラのない良好な画像を得ることができた。また、本実施例の現像装置では、上記剥離ローラ１１と現像スリーブ４の間隔Ｇh及び現像スリーブ４とプレドクタ７ａの間隔Ｇd2が次の（２）式の関係を満足しており、剥離ローラ１１による良好な撹拌能力が得られた。
【数２】
０＜Ｇh＜Ｇd2        ・・・（２）
【００８５】
なお、上記剥離ローラ１１の材質が磁性体（例えばＳＵＭ材）である場合、剥離ローラ１１に対向する現像スリーブ４上の法線方向の磁束密度が５６ｍＴの条件下で剥離ローラ１１の中央部が現像スリーブ４側に０．１ｍｍ程度近づくように撓むことがわかった。そこで、本実施例では、剥離ローラ１１の形状を、上記図５に示すように両端部の径Ｄ１（＝７ｍｍ）より中央部の径Ｄ２（＝６．８ｍｍ）を小さくするように設定した。このような形状の剥離ローラ１１を用いることにより、剥離ローラ１１と現像スリーブ４との間の間隔を軸方向にわたって略０．３５ｍｍに維持することができ、該中央部から両端部にかけて上記現像剤の剥離及びその後の混合撹拌を均一に行うことができた。
【００８６】
（比較例１）
一方、本実施例の比較例として、剥離部材１２を用いない従来の現像装置で上記画像形成を行ったところハーフトーンの画像に濃度ムラが発生してしまった。このように、剥離部材１２を用いないと現像スリーブ４の長手方向でトナー消費の異なる様な黒白交互に構成されたチャートを用いた場合に、長手方向のトナー濃度が不均一となり、画像が劣化する場合があった。
【００８７】
〔実施形態２〕
図１２は、本発明の第２の実施形態に係るプリンタの概略構成を示す正面図であり、図１３は同プリンタの現像装置の概略構成を示す断面図である。なお、図１２及び図１３において、上記第１の実施形態に係るプリンタ（図２及び図３）と同様な部分には同一の符号を付して示しあり、それらの機能も同様であるので、それらの説明は省略する。また、図１２及び図１３中の現像スリーブ４の周囲に示した一点鎖線は、該現像スリーブ４表面における磁束密度の法線方向成分の分布を示している。
【００８８】
本実施形態では、上記第１の実施形態が磁性体からなる剥離ローラ１１を用いているのに対し、磁極が前もって着磁され自ら磁力を備えたマグネットローラからなる剥離ローラ１３を剥離部材として用いている。また、本実施形態の現像装置では、トナー補給口８ａ付近のケーシング２の底部には、対向面２ｃを有する突出部２ｂが形成されている。この対向面２ｃは、トナーホッパ８側から現像スリーブ４側に向けて下向きに傾斜するよう所定の長さをもって形成されている。そのほかトナーホッパ８の構造などについて違いがあるが、本発明との関連性が少ないため、それらの説明は省略する。
【００８９】
図１４は、上記マグネットローラからなる剥離ローラ１３の一例を示すために、上記図１１を一部簡略化した現像装置の断面図である。
この現像装置では、表面に１組の磁極（Ｓ極及びＮ極）を回転軸に沿って延在するように着磁した剥離ローラ１３を用い、現像スリーブ４内の磁極５ａと対向する位置で上記第１の実施形態と同様に回転させている。この剥離ローラ１３を用いた場合は、現像スリーブ４上に担持されて連れ廻っている現像剤３を磁力で強く吸着することができる。したがって、現像スリーブ４からの現像剤の剥離と強制的な流れがより顕著に行なわれ、現像剤収容部Ｓ内の現像剤との混合・撹拌を更に効率よく行なうことができる。
【００９０】
図１５は、変形例に係るマグネットローラからなる剥離ローラ１４を備えた現像装置の断面図である。この現像装置で用いた剥離ローラ１４は、外周表面に複数の磁極を交互に着磁した構成となっている。図１５の変形例に係る剥離ローラ１４はＳ極（１４ａ）及びＮ極（１４ｂ）を四対着磁させた構成となっている。剥離ローラ１４は、現像スリーブ４内部に配設されたマグネットローラ（磁石）５のＳ極５ａと対向するような位置に回転可能に配設されている。そして、剥離ローラ１４が回転し周面に配置されたＳ極がマグネットローラ５のＳ極５ａに近づくと、剥離ローラ１４と現像スリーブ４との間の現像剤３は排斥される力を受ける。続いて剥離ローラ１４のＮ極が近づくと、剥離ローラ１４と現像スリーブ５との間の現像剤４は引力を受ける。このように現像スリーブ４と剥離ローラ１４との間の狭い空間で斥力と引力とが交互に繰り返されることで現像剤３内の混合・撹拌がより活発になり、トナー濃度が均一化される。加えて剥離ローラ１４に交互に着磁された磁極の磁力によって、現像スリーブ４近傍以外の部分では剥離ローラ１４に現像剤３の一部が引き付けられ、より撹拌力を高める効果がある。これにより、トナー分布のより効果的な均一化ができ、濃度ムラなどの異常画像を防止することができる。
【００９１】
なお、図１６の斜視図に示すように、剥離ローラ１４の軸方向長さと略同一の長さをもった複数の磁極を、軸方向にＳ極及びＮ極を交互に着磁した構成してもよい。この場合は、剥離ローラ１４の表面に現像剤３が付着すると表面に現像剤の凹凸が形成され、表面に凹凸のある部材を用いた場合と同様の撹拌効果を得ることができる。
【００９２】
図１７（ａ）は、他の変形例に係る剥離ローラ１５の斜視図である。この剥離ローラ１５は、ある一定の長さをもった磁極を軸方向にＳ極（１５ａ）及びＮ極（１５ｂ）を交互に着磁した構成となっている。この剥離ローラ１５に現像剤が付着すると、上記図１６に示した剥離ローラ１４による撹拌効果に加えて、軸方向に交互に配置された磁極間においても撹拌機構が働き、より効果的に混合・撹拌を行うことができる。
また、図１７（ｂ）に示す剥離ローラ１６のように、軸方向の磁極同士を互いに少しずつ離して着磁してもよく、図１７（ｃ）に示す剥離ローラ１７のように、磁極を軸方向に少しずつずらして配置し、周方向で同極が一部ずつ重なり合うようにしても同様の効果が得られる。
【００９３】
（実施例２）
次に、本実施形態に係る現像装置２のより具体的な実施例について説明する。
図１５に示す現像装置２を使って、前述の図１１に示すような帯状の黒部と白部とが交互に繰り返されるテストチャート６０を、プリント対象の画像として用い、２０枚の画像形成を行い、局所的にトナー消費をさせた。その後、全面ハーフトーン画像（反射濃度測定器でＩＤ０．２〜０．５程度）を形成して、濃度ムラレベルのランク評価を行った。現像条件は、下記の表２のように設定した。
図１８（ａ）〜（ｅ）は上記濃度ムラレベルのランクを示す図であり、それぞれ用紙５２上に形成された、残留黒部５２ａの程度が異なる全面ハーフトーン画像を示している。図１８（ａ）をランク２、図１８（ｂ）をランク３、図１８（ｃ）をランク３．５、図１８（ｄ）をランク４、図１８（ｅ）をランク５とする。ランクが高いほど濃度ムラが少ないことを示している。図１８（ｂ）のランク３が従来例に係る装置の場合に対応している。
【００９４】
【表２】
0004070387.tif 000003
【００９５】
以上の条件下で上記画像形成の実験を数回行った結果、濃度ムラが改善されていることが確認された。表３はその評価結果を示すものである。
【００９６】
【表３】
0004070387.tif 000004
【００９７】
図１６に示す剥離ローラ１４の構成では、ランク３〜３．５、図１７（ａ）〜（ｃ）に示す３つの剥離ローラ１５、１６、１７の構成ではランク３．５〜４であり、濃度ムラに対して効果があることが確認された。
【００９８】
なお、本実施形態の現像装置について、本発明者らが鋭意検討を重ねた結果、剥離ローラの周りで現像剤３の循環動作を効果的に起こし、現像剤３同士の摩擦帯電を十分に促進させるために、現像スリーブ４の線速と剥離ローラ１４の線速との比率が重要であることがわかった。そこで、剥離ローラ１４の駆動手段として、剥離ローラ１４の線速を可変にして回転駆動できるような独立した可変駆動手段（図示せず）を、現像装置の駆動部内に設け、該可変駆動手段を上記図７で示したエンジン制御部１００で制御するように構成してもよい。この可変駆動手段としては、駆動源に例えばステッピングモータを備えた構成とすることができる。なお、駆動源としてはステッピングモータに限られるものではなく、ＡＣモータやサーボモータなどを用いることもできる。
【００９９】
上記現像スリーブ４の線速と剥離ローラ１４の線速との比率の影響を確認するために、表４に示すような現像条件の下で、上記線速の比率を変えて画像形成を行った。
【０１００】
【表４】
0004070387.tif 000005
【０１０１】
以上の条件下で行った画像形成の結果、現像スリーブ４の線速をＳ[ｍｍ／ｓ]、剥離ローラ１４の線速をＴ[ｍｍ／ｓ]とすると、その比率ε＝（Ｔ／Ｓ）が次の（３）式の関係を満足するように設定すると、現像剤収容部Ｓ内において、現像スリーブ４と剥離ローラ１４との間で現像剤３同士の摩擦帯電が効果的に行われることがわかった。
【数３】
０．５＜ε＜１．５        ・・・（３）
【０１０２】
これは、セットされるキャリアの量が一定であることから、少なくとも現像スリーブ４の線速と剥離ローラ１４の線速との比率が上記範囲内であれば、トナーの取り込み量が適量となり、現像スリーブ４上のトナーの搬送速度や嵩が摩擦帯電が効果的に行われるように変化するためである。
【０１０３】
また、本実施形態の現像装置において、環境等によるトナー自体の凝集度の違いによりトナー３ａの取り込み量も変化し搬送速度や嵩の変化も生じることがわかった。トナー３ａは温度と湿度により凝集度が変化し、上記図８及び９に示すように高温条件下では凝集度が高くなり、また、高湿条件下でも凝集度が高くなることがわかっている。凝集度が高くなることは、トナー３ａが固まりやすいことを示している。
そこで、画像形成装置本体内部に、例えば感光体ドラム１近傍の雰囲気温度を測定するための温度センサ（図示せず）を設け、温度が高くなった場合に、上記可変駆動手段によって剥離ローラ１４の回転数を高くして剥離ローラ１４の線速を上げることで、現像剤３の混合・撹拌を十分に行い、現像剤３同士の摩擦帯電を十分に促進させることができる。
また、同様に画像形成装置内部に湿度センサ（図示せず）を設けて、湿度が高くなった場合に、上記温度センサを用いた場合と同様の駆動制御を行うことで、現像剤３の混合・撹拌を十分に行い、現像剤３同士の摩擦帯電を十分に促進させることができる。
【０１０４】
また、本実施形態のプリンタのようにデジタル系の画像形成装置においては、書込に伴う画像信号から画像比率を求めることによりトナー３ａの消費を求め、そのトナー消費に合わせて剥離ローラ１４の線速を変えることが可能である。具体的には、画像比率の高い画像を形成してトナー濃度が下がった場合には、トナー供給が多くなることより、摩擦帯電をより積極的に行う必要があるので、剥離ローラ１４の線速を上げる制御を行う。これに対して、画像比率が低い画像を形成してトナー３ａの消費が少なくトナー濃度が一定に保たれていた場合には、現像剤３の劣化防止の為にも摩擦帯電を積極的に行う必要は無いので、剥離ローラ１４の線速をそのままの状態で維持するか、もしくは、線速を下げる制御を行う。
【０１０５】
また、上記剥離ローラ１４の線速を上げて上記比率εが１．５以上になると現像剤３の劣化を早めるだけでなく、現像剤収納部Ｓへの現像剤３の取り込みが規制され、トナー濃度が狙いのトナー濃度より低下することが分かった。これに対して、剥離ローラ１４の線速を遅くして比率εが０．５以下になると混合・撹拌効果がなく、画像上に補給ムラが確認された。
【０１０６】
なお、以上の制御は、上記変形例をして挙げた剥離ローラ１５、１６、１７を用いる場合にも適用することができ、同様な効果が得られるものである。
【０１０７】
なお、上記各実施形態では、現像スリーブ表面に所定の間隙で対向するように配設した第２現像剤規制部材としてのプレドクタを備えた現像装置の場合について説明したが、本発明は、上記プレドクタを備えていない場合についても適用することができ、同様な効果が得られるものである。
【０１０８】
【発明の効果】
請求項１乃至２０の発明によれば、安定した自己トナー濃度制御機能を維持しつつ、経時的な地汚れ及び現像濃度の低下を防止するとともに現像剤担持体上の現像剤搬送方向と直交する担持体幅方向における現像濃度ムラのない良好な現像を行うことができる。
更に、現像剤担持体上の磁力ムラ等の影響を受けることなく上記トナー濃度のより安定した制御が可能となる。しかも、現像剤担持体上の現像剤のトナーの撹拌分散及びトナー帯電が促進されるので、該現像剤の均一化をさらに図ることができる。
また、第２現像剤規制部材による規制位置を通過した現像剤担持体上の搬送現像剤の上層部が、回転部材に対して確実に接触して剥離されるという効果がある。
【０１０９】
特に、請求項２の発明によれば、第２現像剤規制部材と現像剤担持体表面との間隙の方に向かって引き寄せられるような現像剤の異常な流れによって該現像剤の一部が該間隙からトナー補給口側にはみ出るような現象が発生することがなくなる。したがって、現像剤担持体上の搬送現像剤のトナー濃度が低下した場合の現像剤へのトナー取り込みが適正に行われるという効果がある。
【０１１０】
特に、請求項３の発明によれば、上記現像剤担持体上の現像剤搬送に伴う現像剤の移動を利用した上記自己トナー濃度制御機能が損なわれずさらに安定するとともに、回転部材で剥離される現像剤の量が大きく変化せず現像剤収容部での現像剤の混合を安定して行うことができるという効果がある。
【０１１１】
特に、請求項４の発明によれば、現像剤担持体から現像剤の上層部を安定して剥離することができるという効果がある。
【０１１２】
特に、請求項５及び７の発明によれば、回転部材による現像剤の剥離をより確実に行うことができるという効果がある。
【０１１３】
特に、請求項６の発明によれば、回転部材の中央部と両端部との間で回転部材の表面と現像剤担持体の表面との間隙のムラを抑制することができ、現像剤担持体から現像剤の上層部をより安定して剥離することができるという効果がある。
【０１１４】
特に、請求項８、１１及び１２の発明によれば、上記現像剤の混合を活発に行うことができるという効果がある。
【０１１５】
特に、請求項９及び１０の発明によれば、現像剤担持体から現像剤の上層部をより安定して剥離することができるとともに、上記現像剤の混合を活発に行うことができるという効果がある。
【０１１６】
特に、請求項１３乃至１６の発明によれば、現像剤担持体上の現像剤のトナー帯電の適正化を図るとともに、さらに現像剤の早期劣化を防ぐことが可能となるという効果がある。
【０１１７】
特に、請求項１７の発明によれば、回転部材による現像剤の掻き取り機能及び保持機能が高まるので、回転部材によって現像剤担持体上の現像剤の上層部を確実に剥離して搬送することができるという効果がある。
【０１１８】
特に、請求項１８の発明によれば、磁性体からなる回転部材が磁化されやすくなって該回転部材による搬送力が最も大きく発揮され、現像剤収容部内における現像剤の混合を効果的に行うことができるという効果がある。
【０１１９】
特に、請求項１９の発明によれば、回転部材に磁力で現像剤を確実に担持して搬送することができるため、上記現像剤の混合をさらに効果的に行うことができるという効果がある。
【０１２０】
請求項２０の発明によれば、経時的な地汚れ及び濃度低下や画像幅方向における画像濃度ムラのない画像を形成することができるという効果がある。
【図面の簡単な説明】
【図１】  本発明の第１の実施形態に係るプリンタに用いる現像装置の要部の拡大断面図。
【図２】  同プリンタの概略構成を示す正面図。
【図３】  同現像装置全体の概略構成を示す断面図。
【図４】  同現像装置における現像スリーブ、剥離ローラ、プレドクタ等の位置関係を示す説明図。
【図５】  同現像装置で用いた剥離ローラの側面図。
【図６】  （ａ）及び（ｂ）は、同現像装置における自己トナー制御機構の説明図。
【図７】  本実施形態のプリンタにおける制御部の主要部のブロック図。
【図８】  温度とトナーの凝集度との関係を示す特性図。
【図９】  湿度とトナーの凝集度との関係を示す特性図。
【図１０】  参考例に係る現像装置の要部の断面図。
【図１１】  実施例の現像装置による実験に用いたテストチャート画像の説明図。
【図１２】  本発明の第２の実施形態に係るプリンタの概略構成を示す正面図。
【図１３】  同現像装置全体の概略構成を示す断面図。
【図１４】  同現像装置の概略構成を示す断面図。
【図１５】  変形例に係る現像装置の概略構成を示す断面図。
【図１６】  同現像装置に用いた剥離ローラの斜視図。
【図１７】  （ａ）は変形例に係る剥離ローラの斜視図。
（ｂ）及び（ｃ）は他の変形例に係る剥離ローラの周面における磁極配置の説明図。
【図１８】  （ａ）〜（ｅ）は濃度ムラレベルのランクを示す説明図。
【符号の説明】
１    感光体ドラム
２    現像装置
２ａ  ケーシング
３    現像剤
３ａ  トナー
３ｂ  搬送現像剤
３ｃ  収容現像剤
３ｄ  剥離現像剤
３ｅ  滞留現像剤
４    現像スリーブ
５    マグネットローラ
６    ドクタ
７    現像剤収容ケース
７ａ  プレドクタ
８    トナーホッパ
８ａ  トナー補給口
９    トナーアジテータ
１１  剥離ローラ（磁性体）
１３，１４  剥離ローラ（マグネットローラ）
５０  帯電ローラ
５１  光書き込みユニット
５２  用紙
５３  転写ローラ
１００  エンジン制御部
１０１  エンジン制御用ＣＰＵ
１１０  画像データ処理部
Ｓ    現像剤収容部
【図１】
0004070387.tif 000006
【図２】
0004070387.tif 000007
【図３】
0004070387.tif 000008
【図４】
0004070387.tif 000009
【図５】
0004070387.tif 000010
【図６】
0004070387.tif 000011
【図７】
0004070387.tif 000012
【図８】
0004070387.tif 000013
【図９】
0004070387.tif 000014
【図１０】
0004070387.tif 000015
【図１１】
0004070387.tif 000016
【図１２】
0004070387.tif 000017
【図１３】
0004070387.tif 000018
【図１４】
0004070387.tif 000019
【図１５】
0004070387.tif 000020
【図１６】
0004070387.tif 000021
【図１７】
0004070387.tif 000022
【図１８】
0004070387.tif 000023